(57)【要約】【課題】チューナに選択設定される帯域制限用フィルタの帯域幅と、現在受信中の信号のセグメント数とが異なることによる誤った受信動作を防止して、正常な良好な受信が可能となるＯＦＤＭ受信機を提供すること。【解決手段】チューナ１２で選択設定されている帯域制限用フィルタの帯域幅と、受信した信号のセグメント数とを比較して、両者が異なる場合は表示や警告音等により使用者に報知し、また自動的に適切な帯域制限用フィルタの帯域幅に変更する。【選択図】　　　図１
2004048472.tif 000002
【特許請求の範囲】
【請求項１】
チューナで使用される帯域制限用フィルタの帯域幅を手動操作で選択する選択手段と、
前記チューナおよび復調部で受信、復調される、現在受信中の信号のセグメント数を検出する検出手段と、
この検出手段で検出されたセグメント数と前記選択手段で選択された帯域制限用フィルタの帯域幅とを比較し、帯域幅とセグメント数が一致しない場合に出力を発生する比較部と、
この比較部から出力が発生したとき、報知を行う報知部と
を具備することを特徴とするＯＦＤＭ受信機。
【請求項２】
帯域制限用フィルタを有し、受信動作するチューナおよび復調動作する復調部と、
このチューナおよび復調部で受信、復調される、現在受信中の信号のセグメント数を検出する検出手段と、
この検出手段で検出されたセグメント数を前記チューナに供給して、前記チューナで使用される前記帯域制限用フィルタの帯域幅を前記セグメント数に対応する帯域幅に自動的に設定する設定手段と
を具備することを特徴とするＯＦＤＭ受信機。
【請求項３】
前記報知部または前記設定手段を機能させるか否かを設定する手段をさらに有することを特徴とする請求項１または２に記載のＯＦＤＭ受信機。
【発明の詳細な説明】
【０００１】
【発明の属する技術分野】
本発明は、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ：直交周波数分割多重）受信機に関する。
【０００２】
【従来の技術】
ＩＳＤＢ−Ｔ（Ｉｎｔｅｇｒａｔｅｄ　Ｓｅｒｖｉｃｅｓ　Ｄｉｇｉｔａｌ　Ｂｒｏａｄｃａｓｔｉｎｇ−Ｔｅｒｒｅｓｔｒｉａｌ：サービス統合地上デジタル放送）にはＴＶ放送と音声放送の２種類の放送形態があり、ＩＳＤＢ−Ｔ受信機はＴＶ放送では１３セグメント、音声放送では３セグメントまたは１セグメントのＯＦＤＭ変調波を受信する。したがって、１３，３，１セグメント受信に対応し、チューナの帯域制限用フィルタの帯域幅を選択できるＩＳＤＢ−Ｔ受信機においては、受信したＯＦＤＭ変調波のセグメント数（帯域）に合わせて帯域制限用フィルタの帯域幅を選択する必要があり、もし、３セグメントまたは１セグメントの帯域制限用フィルタでＴＶ放送を受信しょうとしたり、逆に１３セグメントの帯域制限用フィルタで音声放送を受信しようとしたりすると、正常に受信動作しない恐れがある。
【０００３】
【発明が解決しようとする課題】
帯域制限用フィルタの帯域幅は、使用者の操作により選択される。しかし、帯域制限用フィルタの帯域幅は、音声放送の受信のときにしか切替えることがないので、つい変更を忘れてしまいがちであり、放送形態に対応した正しい帯域制限用フィルタが選択されないで、放送を正常に受信できない場合が発生する。
【０００４】
本発明は上記の点に鑑みなされたもので、選択されている帯域制限用フィルタの帯域幅と、受信した信号のセグメント数の違いにより、放送を正常に受信できないことを防止できるＯＦＤＭ受信機（ＩＳＤＢ−Ｔ受信機はその一具体例）を提供することを目的とする。
【０００５】
【課題を解決するための手段】
本発明は、選択されている帯域制限用フィルタの帯域幅と、受信した信号のセグメント数とを比較して、両者が異なる場合は表示や警告音等により使用者に報知し、また自動的に適切な帯域制限用フィルタの帯域幅に変更するというものである。
【０００６】
したがって、本発明の第１のＯＦＤＭ受信機は、チューナで使用される帯域制限用フィルタの帯域幅を手動操作で選択する選択手段と、前記チューナおよび復調部で受信、復調される、現在受信中の信号のセグメント数を検出する検出手段と、この検出手段で検出されたセグメント数と前記選択手段で選択された帯域制限用フィルタの帯域幅とを比較し、帯域幅とセグメント数が一致しない場合に出力を発生する比較部と、この比較部から出力が発生したとき、報知を行う報知部とを具備することを特徴とする。
【０００７】
また、本発明の第２のＯＦＤＭ受信機は、帯域制限用フィルタを有し、受信動作するチューナおよび復調動作する復調部と、このチューナおよび復調部で受信、復調される、現在受信中の信号のセグメント数を検出する検出手段と、この検出手段で検出されたセグメント数を前記チューナに供給して、前記チューナで使用される前記帯域制限用フィルタの帯域幅を前記セグメント数に対応する帯域幅に自動的に設定する設定手段とを具備することを特徴とする。
【０００８】
好ましい形態として、上記ＯＦＤＭ受信機は、前記報知部または前記設定手段を機能させるか否かを設定する手段をさらに有する
【０００９】
【発明の実施の形態】
次に添付図面を参照して本発明によるＯＦＤＭ受信機の実施の形態を詳細に説明する。図１は本発明によるＯＦＤＭ受信機の実施の形態（ＩＳＤＢ−Ｔ受信機として使用される）を示すブロック図である。この図において、チューナ１２は、帯域制限用フィルタを有し、アンテナ１１で捕捉されたＲＦ信号の中から所望の信号（所望のＯＦＤＭ変調波）を抽出し、ＩＦ信号に変換して出力する。復調部１３は、チューナ１２から出力されたＩＦ信号を復調してＴＳ（トランスポートストリーム）を出力する。また、復調部１３は、チューナ１２から出力されたＩＦ信号を受けて、現在受信中の信号（現在受信中のＯＦＤＭ変調波）のセグメント数を検出する。すなわち、ＯＦＤＭの変調波にはＴＭＣＣという制御情報が含まれており、これは伝送モードや変調方式にもよるが１セグメントの帯域内に最低でも１つは挿入されている。したがって、例えば１セグメントの帯域制限用フィルタを選択した状態で１３セグメントの放送を受信した場合でもＴＭＣＣは得ることができる。このＴＭＣＣの中には“セグメント数”というパラメータが含まれており、これが実際に送信されたＯＦＤＭ変調波のセグメント数（帯域幅）ということになる。復調部１３は、前記ＴＭＣＣ内のセグメント数を検出し、現在受信中の信号のセグメント数である“受信セグメント数”を出力する。
【００１０】
帯域制限用フィルタ選択入力部１４は、チューナ１２で使用される帯域制限用フィルタの帯域幅を使用者が選択し入力するところである。使用者が、この帯域制限用フィルタ選択入力部１４で１３，３，１セグメントのいずれかに対応する帯域制限用フィルタを選択することにより、チューナ１２が、選択されたフィルタに対応するセグメント数の信号について受信動作する。
【００１１】
チューナ１２の帯域制限用フィルタの帯域幅を選択するために帯域制限用フィルタ選択入力部１４から出力された帯域制限用フィルタの帯域幅情報と、復調部１３から出力された受信セグメント数は、スイッチ１５で切替えられてチューナ１２に供給される。スイッチ１５は、自動切替えｏｎ／ｏｆｆ入力部１６からの信号により切替えられる。自動切替えｏｎ／ｏｆｆ入力部１６は、帯域制限用フィルタの自動切替えをｏｎさせるかｏｆｆさせるかを使用者が設定するところである。
【００１２】
また、帯域制限用フィルタ選択入力部１４から出力された帯域制限用フィルタの帯域幅情報と、復調部１３から出力された受信セグメント数は、セグメント比較部１７に供給される。このセグメント比較部１７は、帯域制限用フィルタ選択入力部１４から出力された帯域制限用フィルタの帯域幅情報と、復調部１３から出力された受信セグメント数とを比較して、両者が異なる場合に出力を導出する。セグメント比較部１７から導出された出力は、スイッチ１８を介して報知部１９に供給される。報知部１９は、セグメント比較部１７から出力が供給されたとき、それ（すなわち、帯域制限用フィルタ選択入力部１４から出力された帯域制限用フィルタの帯域幅情報と、復調部１３から出力された受信セグメント数とが異なること）を、インジケータやディスプレイ表示、警告音、または振動（携帯型受信機の場合）により使用者に報知する。スイッチ１８は、報知ｏｎ／ｏｆｆ入力部２０からの信号によりオン、オフされる。報知ｏｎ／ｏｆｆ入力部２０は、前記報知部１９による報知動作をオンさせるか、オフさせるかを使用者が設定するところである。
【００１３】
以上のようなＯＦＤＭ受信機において、いま、スイッチ１５を、使用者の操作の下、自動切替えｏｎ／ｏｆｆ入力部１６からの信号により帯域制限用フィルタ選択入力部１４側（すなわち帯域制限用フィルタの自動切替えｏｆｆ）に接続すると、帯域制限用フィルタ選択入力部１４からの帯域幅情報がチューナ１２に供給されるので、このチューナ１２で使用される帯域制限用フィルタの帯域幅が前記帯域幅情報と同一のものに選択設定される。そして、このチューナ１２および復調部１３で受信、復調動作が行われ、復調部１３からＴＳが出力されると同時に、復調部１３からは、現在受信中の信号のセグメント数を表す受信セグメント数が出力される。
【００１４】
この受信セグメント数は、前記帯域制限用フィルタ選択入力部１４から出力された帯域幅情報（すなわち、チューナ１２に選択設定されている帯域制限用フィルタの帯域幅）とセグメント比較部１７で比較される。そして、もし、受信セグメント数と、帯域幅情報（すなわち、チューナ１２に選択設定されている帯域制限用フィルタの帯域幅）が異なる場合は、セグメント比較部１７から出力が導出され、この出力がスイッチ１８を介して報知部１９に供給される。
【００１５】
したがって、報知部１９は、インジケータやディスプレイ表示、警告音、または振動により、現在受信中の信号のセグメント数と、チューナ１２に選択設定されている帯域制限用フィルタの帯域幅とが異なることを使用者に報知する。使用者は、この報知により、前記の違いに気づいて、帯域制限用フィルタ選択入力部１４を操作し、帯域幅情報を変えることにより、チューナ１２に選択設定される帯域制限用フィルタの帯域幅を、現在受信中の信号のセグメント数に合わせる。これにより、チューナ１２に選択設定される帯域制限用フィルタの帯域幅と、現在受信中の信号のセグメント数とが異なることによる誤った受信動作を防止して、正常な良好な受信が可能となる。このとき、スイッチ１８は、報知ｏｎ／ｏｆｆ入力部２０からの信号によりオンされていることは勿論である。このスイッチ１８を、使用者の操作の下、報知ｏｎ／ｏｆｆ入力部２０からの信号によりオフさせて、前記の報知動作をオフさせることもできる。
【００１６】
一方、スイッチ１５を、使用者の操作の下、自動切替えｏｎ／ｏｆｆ入力部１６からの信号により復調部１３側（すなわち帯域制限用フィルタの自動切替えｏｎ）に接続すると、チューナ１２には、帯域制限用フィルタ選択入力部１４からの帯域幅情報に代えて、復調部１３からの受信セグメント数が供給される。すると、チューナ１２は、それに設けられる自動設定手段により、チューナ１２に選択設定される帯域制限用フィルタの帯域幅を、供給される受信セグメントに一致する帯域幅に設定する。したがって、この場合も、チューナ１２に選択設定される帯域制限用フィルタの帯域幅と、現在受信中の信号のセグメント数とを一致させることができ、不一致による誤った受信動作を防止して、正常な良好な受信が可能となる。このとき、前述した報知動作をオンさせることもできるが、誤報知を防止するため、スイッチ１８をオフさせて前述した報知動作をオフさせることが望ましい。
【００１７】
なお、以上は、１３，３，１セグメント受信すべてが可能なＯＦＤＭ受信機を例に説明してきたが、例えば３，１セグメント対応受信機といった、帯域制限用フィルタの帯域幅が２種類以上選択できるＯＦＤＭ受信機についても同様とすることができる。
【００１８】
【発明の効果】
以上詳細に説明したように、本発明によるＯＦＤＭ受信機によれば、チューナに選択設定される帯域制限用フィルタの帯域幅と、現在受信中の信号のセグメント数とが異なることによる誤った受信動作を防止して、正常な良好な受信が可能となる。
【図面の簡単な説明】
【図１】本発明によるＯＦＤＭ受信機の実施の形態を示すブロック図。
【符号の説明】
１２　チューナ
１３　復調部
１４　帯域制限用フィルタ選択入力部
１５，１８　スイッチ
１６　自動切替えｏｎ／ｏｆｆ入力部
１７　セグメント比較部
１９　報知部
２０　報知ｏｎ／ｏｆｆ入力部
【図１】
2004048472.tif 000003